(57)【要約】【課題】比較的広いフロアー面において斬新な商品の展示あるいは陳列を演出することができ、構成する部品の種類が少なく、収納に好適な構造の組立て商品展示台を提供すること。【解決手段】天板２ａ、２ｂと、２つの脚部１ａ、１ｂの組立体であって、一方の脚部１ｂは、側方に天板２ａの端部２１ａが遊嵌する切り欠き部１４ｂを有し、他方の脚部１ａの上面１７ａと一方の脚部１ｂの切り欠き部１４ｂが同一高さにある組立て商品展示台。【選択図】図１
2014090843.tif 000002
【特許請求の範囲】
【請求項１】
天板と、高さの異なる少なくとも２つの脚部の組立体であって、
該脚部の中の任意に選択される２つの脚部において、一方の脚部には、側方に天板の端部が嵌る切り欠き部を有し、他方の脚部の上面と一方の脚部の切り欠き部が同一高さにあることを特徴とする組立て商品展示台。
【請求項２】
該２つの脚部の中、背の低い脚部は、側方に該切り欠き部が無く、背の高い脚部は、１つの切り欠き部を有し、背の低い脚部の上面と背の高い脚部の切り欠き部が同一高さにあることを特徴とする請求項１記載の組立て商品展示台。
【請求項３】
該２つの脚部の中、背の低い脚部は、１つの切り欠き部を有し、背の高い脚部は、上下２つの切り欠き部を有し、背の低い脚部の上面と背の高い脚部の上方の切り欠き部が同一高さにあることを特徴とする請求項１記載の組立て商品展示台。
【請求項４】
該背の低い脚部の切り欠き部と、該背の高い脚部の下方の切り欠き物が同一高さにあることを特徴とする請求項３記載の組立て商品展示台。
【請求項５】
該２つの脚部の中、背の低い脚部は、上下２つの切り欠き部を有し、背の高い脚部は、上下３つの切り欠き部を有し、背の低い脚部の上面と背の高い脚部の最上方の切り欠き部が同一高さにあることを特徴とする請求項１記載の組立て商品展示台。
【請求項６】
該背の低い脚部の上方の切り欠き部と、該背の高い脚部の真ん中の切り欠き物が同一高さにあり、該背の低い脚部の下方の切り欠き部と、該背の高い脚部の下方の切り欠き物が同一高さにあることを特徴とする請求項５記載の組立て商品展示台。
【請求項７】
３つの脚部を有し、一番背の低い第１脚部は、側方に該切り欠き部が無く、次に背の高い第２脚部は、１つの切り欠き部を有し、一番背の高い第３脚部は、上下２つの切り欠き部を有し、第１脚部の上面と第２脚部の切り欠き部が同一高さにあり、第２脚部の上面と第３脚部の上方の切り欠き部が同一高さにあることを特徴とする請求項１記載の組立て商品展示台。
【請求項８】
該脚部は、平面視が十字形状の４つの板状脚からなることを特徴とする請求項１〜７のいずれか１項に記載の組立て商品展示台。
【請求項９】
該切り欠き部は、該板状脚の側端から中心に向けて水平方向に形成されたものであることを特徴とする請求項８記載の組立て商品展示台。
【請求項１０】
該脚部は、横方向中央部において上下方向略中央まで延出する両面に形成される深さが浅い溝部と、該溝部の上下方向反対側であって上下方向略中央まで切り込まれた切り込み部とを有する同一形状の２枚の板状物を、一方を他方に対して９０度回転した位置において、該切り込み部側を対峙させ両者を差し込んで得られることを特徴とする請求項８又は９記載の組立て商品展示台。
【請求項１１】
該切り込み部側の端近傍の内壁面であって、且つ対峙する位置に内側に突出する一対の突起を形成し、該溝部側の端近傍の該溝底に、該突起が嵌る一対の凹部を形成してなることを特徴とする請求項１０記載の組立て商品展示台。
【請求項１２】
天板は、脚部の上面に載置される第１天板、脚部の上面に載置され、且つ端部が他の脚部の切り欠き部に嵌る第２天板及び端部が脚部の切り欠き部に嵌り他の端部が他の脚部の切り欠き部に嵌る第３天板から選ばれる１つ以上であることを特徴とする請求項１〜１１のいずれか１項に記載の組立て商品展示台。
【発明の詳細な説明】
【技術分野】
【０００１】
本発明は、比較的広いフロアー面において斬新な商品の展示あるいは陳列を演出する組立て商品展示台に関するものである。
【背景技術】
【０００２】
百貨店や展示会場などにおいては、商品の展示方法は、顧客の目を引くための種々の対策が施されている。陳列や展示のハード面からは、階段形状（登録意匠番号１４３３９６６号公報）、円形トレーの多段陳列形状（登録意匠番号１４１７０３７号公報）、楕円形（陸上トラック形状）の多段陳列形状（特開２０１２−２９８６７号公報）など種々の形状のものが提案されている。これらは、それなりの商品陳列や展示の演出を高めることができる。
【先行技術文献】
【特許文献】
【０００３】
【特許文献１】特開２０１２−２９８６７号公報
【非特許文献】
【０００４】
【非特許文献１】登録意匠番号１４３３９６６号公報
【非特許文献２】登録意匠番号１４１７０３７号公報
【発明の概要】
【発明が解決しようとする課題】
【０００５】
しかしながら、階段形状や楕円形（陸上トラック形状）の多段陳列形状は、形状に趣はあっても、定形の枠を超えることはできず、斬新な商品の展示や陳列という点では満足するものではなかった。また、高さの高い階段陳列の場合、フロアー面積が大の陳列形態には不向きという問題があった。更に、展示台を構成する部品の種類を極力低減すると共に、収納に便利な構造の要求もあった。
【０００６】
従って、本発明の目的は、比較的広いフロアー面において斬新な商品の展示あるいは陳列を演出することができ、構成する部品の種類が少なく、収納に好適な構造の組立て商品展示台を提供することにある。
【課題を解決するための手段】
【０００７】
かかる実情において、本発明者は鋭意検討を行った結果、天板と、高さの異なる少なくとも２つの脚部の組立体であって、該脚部の中の任意に選択される２つの脚部において、一方の脚部には、側方に天板の端部が嵌る切り欠き部を有し、他方の脚部の上面と一方の脚部の切り欠き部が同一高さにあるものが、比較的広いフロアー面において斬新な商品の展示あるいは陳列を演出することができることを見出し、本発明を完成するに至った。
【０００８】
すなわち、本発明は、天板と、高さの異なる少なくとも２つの脚部の組立体であって、該脚部の中の任意に選択される２つの脚部において、一方の脚部には、側方に天板の端部が嵌る切り欠き部を有し、他方の脚部の上面と一方の脚部の切り欠き部が同一高さにあることを特徴とする組立て商品展示台を提供するものである。
【発明の効果】
【０００９】
本発明によれば、比較的広いフロアー面において斬新な商品の展示あるいは陳列を演出することができ、構成する部品の種類が少なく、収納に好適な構造である。
【図面の簡単な説明】
【００１０】
【図１】本発明の第１の実施の形態例における組立て商品展示台の斜視図である。
【図２】図１の組立て商品展示台の側面図である。
【図３】組立て商品展示台を構成する脚部の組み付け前の斜視図である。
【図４】脚部を構成する二枚の部材の中、一枚の部材の正面図である。
【図５】（Ａ）は図４のＸ−Ｘ線に沿って見た断面図であり、（Ｂ）は（Ａ）の丸印の拡大図である。
【図６】図４の部材の平面図である。
【図７】組立て商品展示台を構成する脚部の組み付け途中の斜視図である。
【図８】組立て商品展示台を構成する脚部の斜視図である。
【図９】他の脚部であって、脚部の組み付け途中の斜視図である。
【図１０】図９の二枚の部材を組み付けた脚部の斜視図である。
【図１１】本発明の第２の実施の形態例における組立て商品展示台の斜視図である。
【図１２】本発明の第３の実施の形態例における組立て商品展示台の斜視図である。
【図１３】本発明の第４の実施の形態例における組立て商品展示台の斜視図である。
【図１４】脚部を構成する二枚の部材の中、一枚の部材の変形例である。
【発明を実施するための形態】
【００１１】
本発明の第１の実施の形態における組立て商品展示台（以下、単に、「商品展示台」と言う。）を図１〜図１０を参照して説明する。商品展示台１０Ａは、２枚の天板２ａ、２ｂと、高さの異なる２つの脚部１ａ、１ｂの組立体であって、脚部１ｂは、側方に天板２ａの端部２１ａが嵌る切り欠き部１４ｂを有し、一方の脚部１ａの上面１７ａと他方の脚部１０ｂの切り欠き部１４ｂが同一高さにある。すなわち、２つの脚部１ａ、１ｂの中、背の低い脚部１０ａは、側方に切り欠き部が無く、背の高い脚部１ｂは、側方に天板２ａの端部２１ａが嵌る切り欠き部１４ｂを有する。
【００１２】
２枚の天板２ａ、２ｂは、本例では厚みが一定の円板形状であるが、本発明の天板は円板形状に限定されず、平面視が長方形、正方形、楕円形、不定形など種々のものが使用できる。天板の側面視、すなわち厚みは、全体に亘り一定であっても、不定であってもよいが、全体に亘り一定のものが製作費用および使い勝手の点で好ましい。天板の端部２１ａ、すなわち、脚部１ｂの切り欠き部１４ｂに嵌る部分の厚みは、切り欠き部１４ｂの切り欠き高さより小となっている。これにより、天板２ａを切り欠き部１４ｂに入れ易く、且つ出し易くなる。天板の端部２１ａとは、天板の端面から中へ１０ｃｍ程度までの部分を言う。
【００１３】
背の高い脚部１ｂは、平面視が十字形状の４つの板状脚である。すなわち、高さ方向の中央部に側端から中心に向けて水平方向に形成された切り込み状の切り欠き部を有する板部が、中心から四方へ放射状に延びるように構成されたものである。すなわち、脚部１ｂは、２枚の板状体が中央で交差する形状となっている。４脚の中、２脚を形成する１枚板状体を見ると、上端部及び下端部は、左右端部１６ｂを残して中央部分は緩やかな凹状曲線を形成するようにくり抜かれている。これにより、床面への設置安定性と天板の設置安定性が優れたものとなる。また、左右端部１６ｂは、床面及び天板に接する面となるため、滑り止め材１７ｂが付設されている。これにより、床面への設置安定性と天板の設置安定性が更に優れたものとなる。側面を凹状としたのは、意匠性を高めるためである。従って、側面は凹状に限定されない。なお、左右端部１６ｂの上面が本発明の脚部の上面である。
【００１４】
脚部１ｂは、図３〜図６に示すように、横方向中央部において上下方向略中央まで延出する両面に形成される深さが浅い溝部１８ｂと、溝部１８ｂの上下方向反対側であって上下方向略中央まで切り込まれた切り込み部１５ｂとを有する同一形状の２枚の板状物１１ｂ１、１１ｂ２を、一方を他方に対して９０度回転した位置において、切り込み部１５ｂ側を互いに対峙させ、両者を差し込んで得られる２枚の板状体が中央で交差する形状とすることが好ましい。これにより、コストを低減でき、また組み付けの際、組み付け用道具が不要となる。２枚の板状体１１ｂ１、１１ｂ２は同一形状の部材であるため、１枚の板状体１１ｂ１について説明し、他の１枚の板状体１１ｂ２の説明は省略する。
【００１５】
板状体１１ｂ１は、高さ方向の中央に側端から中心に向けて水平方向に形成された切り込み状の切り欠き部１４ｂ、１４ｂを有するものである。切り欠き部１４ｂ、１４ｂの側端から中心に向けての長さは、天板の端部が架かるように、約１０ｃｍ以上で適宜寸法で形成すればよい。切り欠き部１４ｂ、１４ｂの水平方向長さが短すぎると、天板の設置安定性に欠け、長過ぎると、板状体１１ｂ１の強度が低下してしまう。切り欠き部１４ｂ、１４ｂの高さｈ（側面から見た切り欠き幅）寸法は、天板２ａの端部２１ａが入り易いように、天板の厚みよりやや大とすればよい。
【００１６】
板状体１１ｂ１の上端部及び下端部は、左右端部１６ｂを残して中央部分は大きく凹状にくり抜かれている。これにより、床面への設置安定性と天板の設置安定性が優れたものとなる。また、左右端部１６ｂは、床面及び天板に接する面となるため、滑り止め材１７ｂが付設されている。これにより、床面への設置安定性と天板の設置安定性が更に優れたものとなる。側面を凹状としたのは、意匠性を高めるためである。従って、側面は凹状に限定されない。また、板状体１１ｂ１は、中心部の厚みが左右側よりやや薄く、左右両側に向けて漸次厚くなっている。これにより、強度を保持しつつ、嵌合性を高めている。
【００１７】
板状体１１ｂ１の溝部１８ｂと切り込み部１５ｂは、２枚の板状体１１ｂ１、１１ｂ２のクロス状嵌め込みを容易とし且つ強固な嵌め込みを可能とするものである。溝部１８ｂは、板状体１１ｂ１の中（くり抜き状）に形成されても、盛り状の一対の溝壁１５２ｂ、１５２ｂにより形成されたものであってもよい（図６参照）。盛り状の一対の溝壁１５２ｂ、１５２ｂとは、板状体１１ｂ１の面上から上方へ突出し且つ上下方向に延出するように形成した背（高さ）の低い突起状物である。また、溝部１８ｂの溝幅（ｗ１）は、溝部１８ｂの溝厚（ｗ２）と略同じである。また、溝部１８ｂの溝底１８１は、端側（切り込み部１５ｂとは反対側の端）が端に行くほどやや浅くなるテーパ面１８２とすると、板状体同士の嵌合強度が高まる。
【００１８】
切り込み部１５ｂは、溝部１８ｂとは上下方向反対側に位置するものであり、端から上下方向略中央まで切り込まれたものである。すなわち、切り込み部１５ｂの上下方向における切り込み長さ（溝深さ）は、半分よりやや大である。これにより、２枚の板状体１１ｂ１、１１ｂ２のクロス状嵌め込みにより、２枚の板状体１１ｂ１、１１ｂ２の高さを同じにすることができる。また、切り込み部１５ｂを有することで、２枚の板状体１１ｂ１、１１ｂ２の嵌め込みが容易となり、嵌合後は、溝部１８ｂを形成する一対の溝壁１５２ｂがガイド壁となり、嵌合強度が高まる。そして、板状体１１ｂ１の高さは脚部１ｂの高さともなる。      
【００１９】
また、板状体１１ｂ１の切り込み部１５ｂ側の端近傍の切り込みの内壁面であって、且つ対峙する位置に内側に突出する一対の突起３０、３０を形成し、溝部１５ｂ側の端近傍の溝底に、突起３０、３０が嵌る一対の凹部４０、４０を形成してなる。これにより、２枚の板状体１１ｂ１、１１ｂ２をクロス状に嵌め込んだ際、突起３０、３０が凹部４０、４０に嵌るため、板状体１１ｂ１、１１ｂ２の固定が安定する。
【００２０】
次に、背の低い脚部１ａについて図９及び図１０を参照して説明する。脚部１ａにおいて、脚部１ｂと同一構成要素には同一符号を付して、その説明を省略し、異なる点について主に説明する。すなわち、脚部１ａにおいて、脚部１ｂと異なる点は、側方の切り欠き部１４ｂを無くした点、及び脚部の高さを低くした点である。すなわち、脚部１ａの上面１７ａ（左右端部１６ｂで形成される面）を、脚部１ｂの切り欠き部１４ｂを形成する上下面の中、下面１１１ｂと一致させた点にある。これにより、図２に示すように、脚部１ａの上面に載置された天板２ａの端部２１ａを切り欠き部１４ｂに入れ込めば、天板２ａの設置が安定する。また、商品展示台１０Ａにおいて、脚部１ａと天板２ａで構成される小展示台１０ａは、天板２ａ上に展示品を置けば、低い位置での展示が可能となる。また、脚部１ｂと天板２ｂで構成される小展示台１０ｂは、天板２ｂ上に展示品を置けば、小展示台１０ａよりやや高い位置での展示が可能となる。更に、小展示台１０ａと小展示台１０ｂは、段差のある展示面を横に広く形成でき、趣のある展示が可能となる。また、構成する部品の種類が少なく、収納に好適な構造となる。
【００２１】
商品展示台１０Ａにおいて、脚部１ａの上面１７ａと他の脚部１ｂの切り欠き部１４ｂが同一高さにあるとは、脚部１ａの上面１７ａと他の脚部１ｂの切り欠き部１４ｂの下面１１１ｂが同一高さにあることを意味する。切り欠き部１４ｂの下面１１１ｂとは、切り欠き部１４ｂが側面から中心に向けて水平方向に形成された正面視で所定の高さを有する溝であるため、溝を形成する上面と下面が存在するが、その下面を言う。これにより、脚部１ａの上面と脚部１Ｂの切り欠き部１４Ｂの下面は同一面となり、天板２ａは安定して支持される。  
【００２２】
次に、本発明の第２の実施の形態における商品展示台について、図１１を参照して説明する。図１１の商品展示台１０Ｂにおいて、図１〜図１０の商品展示台１０Ａと同一構成要素には同一符号を付して、その説明を省略し、異なる点について、主に説明する。すなわち、商品展示台１０Ｂにおいて、商品陳列台１０Ａと異なる点は、脚部の高さと、切り欠き部の数である。商品展示台１０Ｂの脚部１ｃにおいて、板状体１１ｃ１（１１ｃ２）の高さを板状体１１ｂ１（１１ｂ２）の高さより高くすると共に、２つの切り欠き部１４ｃ１、１４ｃ２を形成したものである。すなわち、下方の切り欠き部１４ｃ１は脚部１ｂの切り欠き部１４ｂと同じ高さに形成され、上方の切り欠き部１４ｃ２は、脚部１ｂの上面と同じ高さに形成される。
【００２３】
また、商品展示台１０Ｂの脚部１ｄにおいて、板状体１１ｄ１（１１ｄ２）の高さを板状体１１ｃ１（１１ｃ２）の高さより高くすると共に、３つの切り欠き部１４ｄ１、１４ｄ２、１４ｄ３を形成したものである。下方の切り欠き部１４ｄ１は脚部１ｃの下方の切り欠き部１４ｃ１と同じ高さに形成され、中央の切り欠き部１４ｄ２は、脚部１ｃの上方の切り欠き部１４ｃ２と同じ高さに形成され、最上方の切り欠き部１４ｄ３、脚部１ｃの上面と同じ高さに形成される。
【００２４】
これにより、図１１に示すように、脚部１ｃの上面に載置された天板２ｃの端部２１ｃを脚部１ｄの切り欠き部１４ｄ３に入れ込めば、天板２ｃの設置が安定する。また、商品展示台１０Ｂにおいて、脚部１ｃと天板２ｃで構成される小展示台１０ｃは、天板２ｃ上に展示品を置けば、やや低い位置での展示が可能となる。また、脚部１ｄと天板２ｄで構成される小展示台１０ｄは、天板２ｂ上に展示品を置けば、小展示台１０ｃよりやや高い位置での展示が可能となる。更に、小展示台１０ｃと小展示台１０ｄは、段差のある展示面を横に広く形成でき、趣のある展示が可能となる。また、構成する部品の種類が少なく、収納に好適な構造となる。
【００２５】
次に、本発明の第３の実施の形態における商品展示台について、図１２を参照して説明する。図１２の商品展示台１０Ｃにおいて、図１及び図１１の商品展示台１０Ａ、１０Ｂと同一構成要素には同一符号を付して、その説明を省略し、異なる点について、主に説明する。すなわち、商品展示台１０Ｃにおいて、商品陳列台１０Ａ、１０Ｂと異なる点は、脚部の数と、天板の数である。すなわち、商品展示台１０Ｃは、商品陳列台１０Ａ及び１０Ｂで使用する脚部１ａ〜１ｄを、背の低いものから背の高いものに順に一列に並べ、４つの円形天板２ａ〜２ｄの中、３つの円形天板２ａ、２ｂ、２ｃの端部を背の高い脚部の切り欠き部に嵌め込んだものである。すなわち、脚部１ａの上面（高さ）と、脚部１ｂの切り欠き部１４ｂ、脚部１ｃの下方の切り欠き部１４ｃ１及び脚部１ｄの下方の切り欠き部１４ｄ１は同じ高さであり、脚部１ｂの上面（高さ）と、脚部１ｃの上方の切り欠き部１４ｃ２及び脚部１ｄの中央の切り欠き部１４ｄ２は同じ高さであり、脚部１ｃの上面（高さ）と、脚部１ｄの上方の切り欠き部１４ｄ３は同じ高さである。そして、脚部１ａの上面に載置した天板２ａの端部を、脚部１ｂの切り欠き部１４ｂに、脚部１ｂの上面に載置した天板２ｂの端部を、脚部１ｃの上方の切り欠き部１４ｃ２に、脚部１ｃの上面に載置した天板２ｃの端部を、脚部１ｄの最上方の切り欠き部１４ｄ３に、それぞれ遊嵌させたものである。商品展示台１０Ｃによれば、広いフロアーにおいて、３つの段差を有する展示面を横に広く形成でき、趣のある展示が可能となる。また、構成する部品の種類が少なく、収納に好適な構造となる。
【００２６】
次に、本発明の第４の実施の形態における商品展示台について、図１３を参照して説明する。図１３の商品展示台１０Ｄにおいて、図１及び図１１の商品展示台１０Ａ、１０Ｂと同一構成要素には同一符号を付して、その説明を省略し、異なる点について、主に説明する。すなわち、商品展示台１０Ｄにおいて、商品陳列台１０Ａ、１０Ｂと異なる点は、脚部の数と、脚部の設置位置と、天板の種類と数である。すなわち、商品展示台１０Ｄは、１つの脚部１ａ、３つの脚部１ｂ、２つの脚部１ｃ、１つの脚部１ｄをランダムに配置し、３つの円形天板２ｃ１、２ｃ１、２ｄ１、四角形の天板２ｂ１、横に長い長方形の天板２ａ１、２ｂ２、２ｂ２を使用したものである。３つの円形天板２ｃ１、２ｃ１、２ｄ１は、２つの脚部１ｃ、１ｃと１つの脚部１ｄの上面に載置されている。１つの四角形の天板２ｂ１は、１つの脚部１ｂ上に載置されている。横に長い長方形の天板２ａ１は、一方の端近傍において脚部１ａの上面に載置される一方、他方の端部は、脚部１ｂの切り欠き部１４ｂに嵌められる。横に長い長方形の天板２ｂ２の中、１つの天板２ｂ２は、一方の端近傍及び他方の端近傍は、それぞれ脚部１ｂ上に載置されている。また、横に長い長方形の天板２ｂ２の中、他の天板２ｂ２は、一方の端部が脚部１ｃの最上部の切り欠き部１４ｃ２に嵌められ、他方の端部が脚部１ｄの真ん中の切り欠き部１４ｄ２に嵌められている。商品展示台１０Ｄによれば、広いフロアーにおいて、幾つもの段差を有する展示面を横に広く形成でき、趣のある展示が可能となる。なお、商品展示台１０Ｄにおける脚部１ａ、１ｂ、１ｃ及び１ｄは、商品展示台１０Ｃにおける脚部１ａ、１ｂ、１ｃ及び１ｄとそれぞれ同じものである。
【００２７】
本発明において、天板としては、脚部の上面に載置される天板２ａ（第１天板）、脚部の上面に載置され、且つ端部が他の脚部の切り欠き部に嵌る天板２ｄ（第２天板）に限定されず、例えば、端部が脚部の切り欠き部に嵌り他の端部が他の脚部の切り欠き部に嵌る第３天板であってもよい。
【００２８】
本発明の商品展示台は、上記実施の形態例に限定されず、種々の変形例を採ることができる。脚部１ａ〜１ｄの形状としては、例えば、図１４（Ａ）に示すように、上面及び側面が共に直線状の見かけ形状が四角形のもの、図１４（Ｂ）に示すように、上面が直線状であり、側面が外側に突の湾曲状のもの、図１４（Ｃ）に示すように、上面が凹の湾曲状であり、側面が外側に突の湾曲状のものが挙げられる。また、脚部１ａ〜１ｄの組み合わせとしては、図１、図１１及び図１２の使用例に限定されず、例えば、脚部１ａと１ｃの組み合わせ、脚部１ａと１ｄの組み合わせ、脚部１ｂと１ｃの組み合わせ、脚部１ｂと１ｄの組み合わせ、脚部１ａと１ｂと１ｃの組み合わせ、脚部１ａと１ｂと１ｄの組み合わせ、脚部１ｂと１ｃと１ｄの組み合わせが挙げられる。
【００２９】
脚部１ａと１ｃの組み合わせにおいては、天板は脚部１ａ及び脚部１ｃの上面にそれぞれ載置され、脚部１ａに載置された天板の端部は脚部１ｃの下方の切り欠き部１４ｃ１に嵌め込めばよい。脚部１ａと１ｄの組み合わせにおいては、天板は脚部１ａ及び脚部１ｄの上面にそれぞれ載置され、脚部１ａに載置された天板の端部は脚部１ｄの下方の切り欠き部１４ｄ１に嵌め込めばよい。脚部１ｂと１ｃの組み合わせにおいては、天板は脚部１ｂ及び脚部１ｃの上面にそれぞれ載置され、脚部１ｂに載置された天板の端部は脚部１ｃの上方の切り欠き部１４ｃ２に嵌め込めばよい。脚部１ｂと１ｄの組み合わせにおいては、天板は脚部１ｂ及び脚部１ｄの上面にそれぞれ載置され、脚部１ｂに載置された天板の端部は脚部１ｄの中央の切り欠き部１４ｄ２に嵌め込めばよい。
【００３０】
３つの脚部１ａと１ｂと１ｃの組み合わせにおいて、一番背の低い脚部（第１脚部）１ａは、側方に切り欠き部が無く、次に背の高い脚部（第２脚部）１ｂは、１つの切り欠き部１４ｂを有し、一番背の高い脚部（第３脚部）１ｃは、上下２つの切り欠き部１４ｃ１、１４ｃ２を有し、脚部（第１脚部）１ａの上面と脚部（第２脚部）１ｂの切り欠き部１４ｂが同一高さにあり、脚部（第２脚部）１ｂの上面と脚部（第３脚部）１ｃの上方の切り欠き部１４ｃ２が同一高さにある。そして、天板は脚部１ａ、脚部１ｂ及び脚部１ｃの上面にそれぞれ載置され、脚部１ａに載置された天板の端部は脚部１ｂの切り欠き部１４ｂに嵌め込むか又は脚部１ｃの上方の切り欠き部１４ｃ１に嵌め込めばよく、脚部１ｂに載置された天板の端部は脚部１ｃの上方の切り欠き部１４ｃ２に嵌め込めばよい。
【００３１】
脚部１ａと１ｂと１ｄの組み合わせにおいては、天板は脚部１ａ、脚部１ｂ及び脚部１ｄの上面にそれぞれ載置され、脚部１ａに載置された天板の端部は脚部１ｂの切り欠き部１４ｂに嵌め込むか又は脚部１ｄの下方の切り欠き部１４ｄ１に嵌め込めばよく、脚部１ｂに載置された天板の端部は脚部１ｄの中央の切り欠き部１４ｄ２に嵌め込めばよい。また、脚部１ｂと１ｃと１ｄの組み合わせにおいては、天板は脚部１ｂ、脚部１ｃ及び脚部１ｄの上面にそれぞれ載置され、脚部１ｂに載置された天板の端部は脚部１ｃの上方の切り欠き部１４ｃ２に嵌め込むか又は脚部１ｄの中央の切り欠き部１４ｄ２に嵌め込めばよく、脚部１ｃに載置された天板の端部は脚部１ｄの上方の切り欠き部１４ｄ３に嵌め込めばよい。
【００３２】
本発明において、ｘ個(段)の脚部の高さは、次の計算式；脚部の高さ＝ｈ１ｘ＋ｈ２（ｘ−１）で決定することができる。この式において、ｘは２個（段）以上の整数であり、、ｈ１は一番背の低い脚部（切り欠き部の無い脚部）の高さであり、ｈ２は切り込み部の切り込み幅（上下方向の高さ寸法）である（図２参照）。
【００３３】
また、本発明の商品展示台において、脚部に形成される切り欠き部は上記の無し（ゼロ）や１〜３つに限定されず、切り欠き部は４つ以上であってもよい。また、脚部は２枚の板状体のクロス状嵌め込みのものに限定されず、当初から一体物であってもよく、他の組み付け体であってもよい。他の組み付け体としては、係合スリットが形成されたパイプ状の支柱に４つの板状体（羽根部材）を嵌め込まれたものであってもよい。
【００３４】
本発明の商品展示台の材質としては、特に制限されないが、プラスティックとすることが、製造コスト及び使い勝手の点で好ましい。また、天板は不透明、半透明及び透明のいずれであってもよいが、透明または半透明とすることが、脚部の形状も顧客に見え、これも演出に一役買うことができる。
【産業上の利用可能性】
【００３５】
本発明の商品展示台は、特に広い展示フロアーで使用すると、優れた展示の演出効果が得られる。特に、展示高さが低いにも拘わらず、数段の段差を形成した展示面を形成でき、顧客の目を引くことができる。また、部品点数が少なく、製造コストを低減できる。また、商品展示台の組立て、分解が容易で、且つ収納が容易である。
【符号の説明】
【００３６】
１、１ａ〜１ｄ    脚部
２ａ〜２ｄ        天板
１０ａ〜１０ｄ    小展示台
１０Ａ〜１０Ｄ    商品展示台
１１ｂ１、１１ｂ２    １枚の板状体
１１ｃ１、１１ｃ２    １枚の板状体
１１ｄ１、１１ｄ２    １枚の板状体
１４ｂ              切り欠き部
１４ｃ１、１４ｃ２      切り欠き部
１４ｄ１、１４ｄ２  、１４ｄ３    切り欠き部
【図１】
2014090843.tif 000003
【図２】
2014090843.tif 000004
【図３】
2014090843.tif 000005
【図４】
2014090843.tif 000006
【図５】
2014090843.tif 000007
【図６】
2014090843.tif 000008
【図７】
2014090843.tif 000009
【図８】
2014090843.tif 000010
【図９】
2014090843.tif 000011
【図１０】
2014090843.tif 000012
【図１１】
2014090843.tif 000013
【図１２】
2014090843.tif 000014
【図１３】
2014090843.tif 000015
【図１４】
2014090843.tif 000016